(57)【要約】【課題】電気カードがカードコネクタのコンタクトによって引っ掻かれること及び摩耗することを防止することができるカードコネクタを提供する。【解決手段】カードコネクタは、基部と、基部に設けられた複数のコンタクトとを具備する。各コンタクトは、カードコネクタ内に挿入される電気カードに電気的に接触するよう構成された接触部と、基部から延びると共に接触部で交差する２本の弾性アームを有する支持部とを具備する。各弾性アームは、接触部まで延びる案内アーム部を具備する。各案内アーム部は、電気カードがカード挿抜方向に対して０°より大きく90°より小さな角度を画定する。各コンタクトの２本の案内アーム部は、カード挿抜方向に直交すると共にコンタクトの接触部を通過する平面の両側に配置される。各案内アーム部は、接触部まで延びると共に接触部の外面に滑らかな過渡部を形成する滑らかな突条凸面が形成される。【選択図】図３
2016071848.tif 000002
【特許請求の範囲】
【請求項１】
基部（１０）と、該基部に設けられた複数のコンタクト（１００）とを具備するカードコネクタであって、
前記コンタクトの各々は、前記カードコネクタ内に挿入される電気カード（３０）に電気的に接触するよう構成された接触部（１３０）と、前記基部から延びると共に前記接触部で交差する２本の弾性アーム（１１０，１２０）を有する支持部とを具備し、
前記弾性アームの各々は、前記接触部まで延びる案内アーム部（１１２，１２２）を具備し、
前記案内アーム部の各々は、前記電気カードが前記カードコネクタ内に挿入され又は前記カードコネクタから引き出されるカード挿抜方向（Ｙ−Ｙ）に対して０°より大きく90°より小さな角度（α，β）を画定し、
前記コンタクトの各々の２本の前記案内アーム部は、前記カード挿抜方向に直交すると共に前記コンタクトの前記接触部を通過する平面の両側に配置され、
前記案内アーム部の各々は、前記接触部まで延びると共に前記接触部の外面に滑らかな過渡部を形成する滑らかな突条凸面が形成されることを特徴とするカードコネクタ。
【請求項２】
前記突条凸面は、突条線（１１２１）と、該突条線の外側に位置するフランジ領域（１１２２）とを有し、
前記フランジ領域は、前記案内アーム部の根本に向かって前記接触部から徐々に傾斜するよう構成されることを特徴とする請求項１記載のカードコネクタ。
【請求項３】
前記接触部は、滑らかに湾曲した外面を有するよう構成されることを特徴とする請求項２記載のカードコネクタ。
【請求項４】
前記接触部は、滑らかな球状外面を有するよう構成されることを特徴とする請求項３記載のカードコネクタ。
【請求項５】
前記弾性アームの各々は、前記基部に固定されると共に前記案内アーム部に接続される固定アーム部（１１１，１２１）をさらに具備し、
前記案内アーム部の外面は、前記固定アーム部の外面に滑らかに移行することを特徴とする請求項１ないし請求項４のうちいずれか１項記載のカードコネクタ。
【請求項６】
前記案内アーム部の外面及び前記固定アーム部の外面の間に緩やかな面取り移行部が形成されていることを特徴とする請求項５記載のカードコネクタ。
【請求項７】
前記案内アーム部の外面及び前記固定アーム部の外面の間に緩やかな丸い面取り移行部が形成されていることを特徴とする請求項６記載のカードコネクタ。
【請求項８】
前記カード挿抜方向に対する前記案内アーム部の各々の角度は、20〜60°の範囲内であることを特徴とする請求項５記載のカードコネクタ。
【請求項９】
前記カード挿抜方向に対する前記コンタクトの各々の前記２本の案内アーム部のうちの一方の角度（α）は、前記カード挿抜方向に対する他方の前記案内アーム部の角度（β）と等しいことを特徴とする請求項５記載のカードコネクタ。
【請求項１０】
前記弾性アームの各々の前記固定アーム部は、前記基部の上面とほぼ平行になるよう構成され、
前記弾性アームの各々の前記案内アーム部は、前記基部の前記上面に対して０°より大きく90°より小さな角度を有するよう構成されることを特徴とする請求項５記載のカードコネクタ。
【請求項１１】
前記基部の前記上面に対する前記弾性アームの各々の前記案内アーム部の角度は、30〜60°の範囲内であることを特徴とする請求項１０記載のカードコネクタ。
【請求項１２】
前記基部の前記上面に対する前記弾性アームの各々の前記案内アーム部の角度は、35〜45°の範囲内であることを特徴とする請求項１１記載のカードコネクタ。
【請求項１３】
前記コンタクトの各々の前記２本の弾性アームはＶ形状又はＵ形状の支持部を構成し、
前記コンタクトの各々の前記接触部は前記Ｖ形状又はＵ形状の支持部の頂点として形成されることを特徴とする請求項５記載のカードコネクタ。
【請求項１４】
前記コンタクトの各々は、前記弾性アームの少なくとも一方に接続された少なくとも１個の半田付け部（１４０）を具備し、
前記コンタクトは、前記半田付け部を介して回路基板に半田付けされることを特徴とする請求項５記載のカードコネクタ。
【請求項１５】
前記コンタクトの各々の前記２本の弾性アームは同一長さ又はほぼ同一の長さを有することを特徴とする請求項５記載のカードコネクタ。
【請求項１６】
前記複数のコンタクトの前記接触部は、前記カード挿抜方向に２列に配列されることを特徴とする請求項５記載のカードコネクタ。
【請求項１７】
前記電気カードを受容する収容空間が、前記カードコネクタの内部に画定され、
前記複数のコンタクトの前記接触部は前記収容空間内に突出することを特徴とする請求項５記載のカードコネクタ。
【請求項１８】
前記固定アーム部の各々は、前記基部から前記案内アーム部に向かって徐々に傾斜する幅を有することを特徴とする請求項５記載のカードコネクタ。
【請求項１９】
前記カードコネクタは加入者識別モジュール（ＳＩＭ）カードに嵌合するよう構成されることを特徴とする請求項５記載のカードコネクタ。
【発明の詳細な説明】
【技術分野】
【０００１】
本発明は、カードコネクタに関し、特にカードコネクタへ又はカードコネクタからカード又はカードトレイを挿抜する際に、電気カードがカードコネクタのコンタクトによって引っ掻かれること及び摩耗することを防止することができるカードコネクタに関する。
【背景技術】
【０００２】
従来技術において、カードコネクタは一般に、基部と、基部に固定された複数のコンタクトとを具備する。各コンタクトは、その先端に接触部を有する。接触部は、カードコネクタに挿入された電気カードと電気接触するために用いられる。
【発明の概要】
【発明が解決しようとする課題】
【０００３】
従来技術において、電気カードの挿入の際に、カードコネクタのコンタクトが電気カード又はカードトレイにより損傷を受けることを防止するために、電気カードは一般に、カードコネクタ内へ横断方向に挿入される、すなわち電気カードは、カードコネクタのコンタクトに対して傾斜した向きにカードコネクタ内へ挿入される。このようにして、電気カードの挿入の際に、電気カード又は電気カードと共に挿入されたカードトレイは、最初にカードコネクタのコンタクトの弾性アームの外側案内側面に接触し、次に弾性アームを下方へ徐々に押圧し、外側案内側面の案内の下でコンタクトの接触部まで徐々に移動する。
【０００４】
従来技術において、カードコネクタのコンタクトの弾性アームの外側案内側面は一般に、鋭い縁が形成され、鋭い縁は、電気カード又はカードトレイを引っ掻き、それらを損傷させる。
【０００５】
また、従来技術において、カードコネクタのコンタクトの弾性アームの外側案内側面は、弾性アームの接触部から根本まで同じ幅を有する。これにより、弾性アームの外側案内側面は、カードコネクタが実装される回路基板に向かって弾性アームの根本が突出する。この結果、電気カード又はカードトレイの挿入中にカードコネクタのコンタクトの弾性アームが電気カード又はカードトレイにより下方へ押圧されると、弾性アームの外側案内側面は、回路基板に接触又は当たり易く、回路基板又はその上の電気デバイスを損傷さえもする。
【課題を解決するための手段】
【０００６】
本発明は、上述の欠点の少なくとも一側面を克服又は緩和するためになされたものである。
【０００７】
本発明の一目的によれば、カードコネクタへ又はカードコネクタからカードを挿抜する際に、電気カードがカードコネクタのコンタクトにより引っ掻かれること及び摩耗することを防止することができるカードコネクタが提供される。
【０００８】
本発明の一態様によれば、基部と、基部に設けられた複数のコンタクトとを具備するカードコネクタが提供される。各コンタクトは、カードコネクタ内に挿入される電気カードに電気的に接触するよう構成された接触部と、基部から延びると共に接触部で交差する２本の弾性アームを有する支持部とを具備する。各弾性アームは、接触部まで延びる案内アーム部を具備する。各案内アーム部は、電気カードがカードコネクタ内に挿入され又はカードコネクタから引き出されるカード挿抜方向に対して０°より大きく90°より小さな角度を画定する。各コンタクトの２本の案内アーム部は、カード挿抜方向に直交すると共にコンタクトの接触部を通過する平面の両側に配置される。各案内アーム部は、接触部まで延びると共に接触部の外面に滑らかな過渡部を形成する滑らかな突条凸面が形成される。
【０００９】
本発明の典型的な一実施形態によれば、突条凸面は、突条線と、突条線の外側に位置するフランジ領域とを有する。そして、フランジ領域は、案内アーム部の根本に向かって接触部から徐々に傾斜するよう構成される。
【００１０】
本発明の典型的な別の実施形態によれば、接触部は、滑らかに湾曲した外面を有するよう構成される。
【００１１】
本発明の典型的な別の実施形態によれば、接触部は、滑らかな球状外面を有するよう構成される。
【００１２】
本発明の典型的な別の実施形態によれば、各弾性アームは、基部に固定されると共に案内アーム部に接続される固定アーム部をさらに具備する。そして、案内アーム部の外面は、固定アーム部の外面に滑らかに移行する。
【００１３】
本発明の典型的な別の実施形態によれば、案内アーム部の外面及び固定アーム部の外面の間に緩やかな面取り移行部が形成される。
【００１４】
本発明の典型的な別の実施形態によれば、案内アーム部の外面及び固定アーム部の外面の間に緩やかな丸い面取り移行部が形成される。
【００１５】
本発明の典型的な別の実施形態によれば、カード挿抜方向に対する各案内アーム部の角度は、20〜60°の範囲内である。
【００１６】
本発明の典型的な別の実施形態によれば、カード挿抜方向に対する各コンタクトの２本の案内アーム部のうちの一方の角度は、カード挿抜方向に対する他方の案内アーム部の角度と等しい。
【００１７】
本発明の典型的な別の実施形態によれば、各弾性アームの固定アーム部は、基部の上面とほぼ平行になるよう構成される。そして、各弾性アームの案内アーム部は、基部の上面に対して０°より大きく90°より小さな角度を有するよう構成される。
【００１８】
本発明の典型的な別の実施形態によれば、基部の上面に対する各弾性アームの案内アーム部の角度は、30〜60°の範囲内である。
【００１９】
本発明の典型的な別の実施形態によれば、基部の上面に対する各弾性アームの案内アーム部の角度は、35〜45°の範囲内である。
【００２０】
本発明の典型的な別の実施形態によれば、各コンタクトの２本の弾性アームはＶ形状又はＵ形状の支持部を構成し、各コンタクトの接触部はＶ形状又はＵ形状の支持部の頂点として機能する。
【００２１】
本発明の典型的な別の実施形態によれば、各コンタクトは弾性アームの少なくとも一方に接続された少なくとも１個の半田付け部を具備し、コンタクトは半田付け部を介して回路基板に半田付けされる。
【００２２】
本発明の典型的な別の実施形態によれば、各コンタクトの２本の弾性アームは同一長さ又はほぼ同一の長さを有する。
【００２３】
本発明の典型的な別の実施形態によれば、複数のコンタクトの接触部は、カード挿抜方向に２列に配列される。
【００２４】
本発明の典型的な別の実施形態によれば、電気カードを受容する収容空間はカードコネクタの内部に画定され、複数のコンタクトの接触部は収容空間内に突出する。
【００２５】
本発明の典型的な別の実施形態によれば、各固定アーム部は、基部から案内アーム部に向かって徐々に傾斜する幅を有する。
【００２６】
本発明の典型的な別の実施形態によれば、カードコネクタは加入者識別モジュール（ＳＩＭ）カードに嵌合するよう構成される。
【００２７】
上記の本発明の典型的な種々の実施形態に係るカードコネクタにおいて、各案内アーム部に、接触部まで延びると共に接触部の外面に滑らかな過渡部を形成する滑らかな突条凸面が形成されるので、電気カードは、その挿抜の間、コンタクトの滑らかな突条凸面に沿って接触部まで滑らかに案内される。このようにして、電気カードは、カードコネクタのコンタクトにより引っ掻かれること及び摩耗することが生じ難く、電気カードの寿命を延ばす。
【００２８】
さらに、本発明の一実施形態において、突条凸面の突条線の外側で案内アーム部のフランジ領域が接触部から案内アーム部の根本に向かって徐々に傾斜しているので、カードコネクタが実装される回路基板に向かって案内アーム部の根本でフランジ領域が突出しない。このようにして、案内アーム部の根本は、電気カードの挿抜の間、回路基板に接触したり当たったりしないので、回路基板が案内アーム部の根本により損傷することから保護する。
【００２９】
添付図面を参照して本発明の典型的な実施形態を詳細に説明することで、本発明の上述した特徴及び他の特徴が明白になるであろう。
【図面の簡単な説明】
【００３０】
【図１】本発明の典型的な一実施形態に係るカードコネクタのコンタクトの斜視図である。
【図２】図１に示されたコンタクトに絶縁基部を成形することにより形成されるコンタクトモジュールの斜視図である。
【図３】図１及び図２に示されたコンタクトの拡大斜視図である。
【図４】本発明の典型的な一実施形態に係るカードコネクタの分解斜視図である。ここで、カードコネクタに挿入される電気カードも図示される。
【図５】本発明の典型的な一実施形態に係るカードコネクタの組立状態を示す斜視図である。ここで、カードコネクタに挿入される電気カードも図示される。
【図６】本発明の別の典型的な実施形態に係るカードコネクタの斜視図である。ここで、カードコネクタのシールドケースが取り除かれている。
【図７】図６に示されたカードコネクタのコンタクトの拡大斜視図である。
【図８】本発明のさらに別の典型的な実施形態に係るカードコネクタの斜視図である。ここで、カードコネクタのシールドケースが取り除かれている。
【図９】図８に示されたカードコネクタのコンタクトの拡大斜視図である。
【発明を実施するための形態】
【００３１】
以下、添付図面を参照して、本発明の典型的な実施形態を詳細に説明する。ここで、同じ要素には同じ参照番号が付与される。しかし、本発明は、多くの異なる形態で実施することができ、以下に説明する実施形態に限定するものとして解釈してはならない。むしろ、本発明が徹底的且つ完全であり、本開示のコンセプトを当業者に十分に伝えるようにこれらの実施形態が提供される。
【００３２】
以下の詳細な説明において、説明の目的で、開示された実施形態を完全に理解してもらうように、具体的な数字の詳細が記載されている。しかし、１以上の実施形態は、これらの具体的な詳細を有することなく実施することができることが明白であろう。他の例では、周知の構造及びデバイスは、図面を簡単にするために概略的に示される。
【００３３】
本発明の総括的コンセプトによれば、基部、及び基部に設けられた複数のコンタクトを具備するカードコネクタが提供される。各コンタクトは、カードコネクタに挿入される電気カードに電気接触するよう構成された接触部と、基部から延びる２本の弾性アームを有すると共に接触部で交差する支持部とを具備する。各弾性アームは、接触部まで延びる案内アーム部を具備する。各案内アーム部は、電気カードがカードコネクタ内に挿入され又はカードコネクタから引き出されるカード挿抜方向に対して０°より大きく90°より小さな角度を画定する。各コンタクトの２本の案内アーム部は、カード挿抜方向に直交する平面の両側に配置され、コンタクトの接触部を通過する。各案内アーム部は、接触部まで延びると共に接触部の外面に滑らかな過渡部を形成する滑らかな突条凸面が形成される。
【００３４】
図１は、本発明の典型的な一実施形態に係るカードコネクタのコンタクト１００の斜視図である。図２は、図１に示されたコンタクト１００に絶縁基部１０を成形することにより形成されるコンタクトモジュールの斜視図である。図３は、図１及び図２に示されたコンタクト１００の拡大斜視図である。
【００３５】
本発明の典型的な一実施形態において、図１ないし図３に示されるように、電気カード（図４及び図５参照）と嵌合するよう構成されたカードコネクタが提供される。カードコネクタは、基部１０、複数のコンタクト及びシールドケース（図４及び図５参照）を主に具備する。
【００３６】
一実施形態において、図１に示されるように、カードコネクタの全コンタクト１００は、金属テープ又は金属板を加工することにより形成される。図１に示されるように、このとき、これらのコンタクト１００は、連結架橋部１４１により互いに連結される。このようにして、これらのコンタクト１００に絶縁基部１０を成形する間、これらのコンタクト１００の間の相対位置は、これらの連結架橋部１４１を用いて正規状態を保つことができる。コンタクト１００に基部１０が形成された後、これらの連結架橋部１４１が切断され、コンタクト１００が互いから電気的に分離され、図２に示されるように、連結架橋部１４１の切断後、コンタクト１００に切断端１４１ａが残される。
【００３７】
図１ないし図３に示される実施形態において、加工を簡素化するために、全コンタクト１００は、互いに同一形状となるよう構成される。各コンタクト１００は、支持部と、支持部の頂点に形成された接触部１３０とを具備する。接触部１３０は、カードコネクタに挿入された電気カードと電気的に接触するよう構成される。支持部は、基部１０から延びて接触部で交差する２本の弾性アーム１１０，１２０を有する。説明を容易にするために、２本の弾性アーム１１０，１２０のうち外側に配置された弾性アームを第１弾性アーム１１０と称し、内側に配置された他方の弾性アームを第２弾性アーム１２０と称する。
【００３８】
本発明の典型的な一実施形態において、図１及び図２に示されるように、第１弾性アーム１１０は、接触部１３０まで延びる第１案内アーム部１１２を有する。第１案内アーム部１１２は、電気カード３０がカードコネクタ内に挿入されカードコネクタから引き出されるカード挿抜方向Ｙ−Ｙ（図２参照）に対して０°より大きく且つ90°より小さい角度αを画定する。第１案内アーム部１１２には、接触部１３０まで延びる滑らかな突条凸面が形成される。この突条凸面は、接触部１３０の外面に滑らかな過渡部を形成する。
【００３９】
同様に、図１及び図２に示されるように、第２弾性アーム１２０は、接触部１３０まで延びる第２案内アーム部１２２を有する。第２案内アーム部１２２は、カード挿抜方向に対して０°より大きく且つ90°より小さい角度βを画定する。第２案内アーム部１２２には、接触部１３０まで延びる滑らかな突条凸面が形成される。この突条凸面は、接触部１３０の外面に滑らかな過渡部を形成する。
【００４０】
一実施形態において、図１ないし図３に示されるように、各コンタクト１００の２個の案内アーム１１２，１２２は、カード挿抜方向に直交すると共にコンタクト１００の接触部１３０を通過する平面の両側に配置される。
【００４１】
図４は、本発明の典型的な一実施形態に係るカードコネクタの分解斜視図である。ここで、カードコネクタに挿入される電気カード３０も図示される。図５は、本発明の典型的な一実施形態に係るカードコネクタの組立状態を示す斜視図である。ここで、カードコネクタに挿入される電気カードも図示される。
【００４２】
一実施形態において、図１ないし図５に示されるように、第１案内アーム部１１２及び第２案内アーム部１２２上の突条凸面は、弾性アーム１１０，１２０上を滑らかに摺動するよう電気カード３０又はカードトレイ（図示せず）用の案内面として作用する。カードコネクタ内に電気カード３０を挿入する際に、図４及び図５に示されるように、電気カード３０は、最初にコンタクト１００の第１弾性アーム１１０の第１案内アーム部１１２と接触し、次にコンタクト１００の弾性アーム１１０を徐々に下方へ押圧し、接触部１３０まで摺動し、第１案内アーム部１１２の突条凸面に沿って接触部１３０に電気接触する。
【００４３】
上記実施形態において、図１ないし図５に示されるように、コンタクト１００の案内アーム部１１２，１２２の突条凸面は、接触部１３０の外面まで滑らかに移行する。これにより、電気カード３０又はカードトレイは、突条凸面の案内の下でコンタクト１００上を滑らかに摺動することができる。この結果、電気カード３０又はカードトレイがコンタクト１００によって引っ掻かれること及び摩耗することを効果的に防止し、或いはコンタクト１００が電気カード３０又はカードトレイによりによって引っ掻かれること及び摩耗することを効果的に防止する。
【００４４】
典型的な一実施形態において、図１ないし図３に示されるように、第１案内アーム部１１２の突条凸面は、突条線１１２１と、突条線１１２１の外側に配置されたフランジ領域１１２２とを有する。フランジ領域１１２２は、接触部１３０から案内アーム部１１２の根本に向かって徐々に傾斜するよう構成される。例えば、フランジ領域１１２２は、極めて小さい幅を有するか、又は案内アーム部１１２の根本で０になるよう傾斜する。
【００４５】
同様に、第２案内アーム部１２２の突条凸面は、突条線１２２１と、突条線１２２１の外側に配置されたフランジ領域１２２２とを有する。フランジ領域１２２２は、接触部１３０から案内アーム部１２２の根本に向かって徐々に傾斜するよう構成される。例えば、フランジ領域１２２２は、極めて小さい幅を有するか、又は案内アーム部１２２の根本で０になるよう傾斜する。
【００４６】
図示の実施形態において、突条凸面の突条線１１２１，１２２１の外側における案内アーム部１１２，１２２のフランジ領域１１２２，１２２２が極めて小さい幅を有するか、又は案内アーム部１１２，１２２の根本で０になるよう傾斜するので、案内アーム部１１２，１２２の根本でのフランジ領域１１２２，１２２２はカードコネクタが実装される回路基板（図示せず）に向かって突出する脇を形成しない。このようにして、案内アーム部の根本は、電気カードを挿抜する間に弾性アームが押下される際に回路基板に接触又は当接しない。そして、回路基板が案内アーム部の根本により損傷することから保護する。
【００４７】
典型的な一実施形態において、電気カード又はカードトレイが可能な限りコンタクト１００により摩耗することから保護するために、接触部１３０は滑らかに湾曲する外面を有するよう構成される。例えば、接触部１３０は、滑らかな球状外面を有する。
【００４８】
本発明の典型的な一実施形態において、図１及び図２に示されるように、各弾性アーム１１０，１２０は、基部１０に固定されると共に案内アーム部１１２，１２２に接続された固定アーム部１１１，１１２をさらに具備する。案内アーム部１１２，１２２の外面は、固定アーム部１１１，１２１の外面まで滑らかに移行する。一実施形態において、案内アーム部１１２，１２２の外面と固定アーム部１１１，１２１の外面との間に緩やかな面取り移行部が形成される。例えば、案内アーム部１１２，１２２の外面と固定アーム部１１１，１２１の外面との間に緩やかな丸い面取り移行部が形成される。このようにして、案内アーム部１１２，１２２の外面と固定アーム部１１１，１２１の外面との間に、鋭利な縁が形成されることを防止できる。
【００４９】
本発明の典型的な一実施形態において、図１ないし図３に示されるように、カード挿抜方向に対する各案内アーム部１１２，１２２の角度α，βは、20〜60°の範囲内にある。
【００５０】
本発明の典型的な一実施形態において、図１ないし図３に示されるように、各コンタクト１００の２本の案内アーム部１１２，１２２は対称構造である。これにより、カード挿抜方向に対する各コンタクト１００の２本の案内アーム部１１２，１２２のうちの一方の角度αは、カード挿抜方向に対する他方の案内アーム部の角度βに等しい。しかし、本発明は、図示の実施形態に限定されない。各コンタクト１００の２本の案内アーム部１１２，１２２は非対称構造であってもよい。これにより、この場合、カード挿抜方向に対する各コンタクト１００の２本の案内アーム部１１２，１２２のうちの一方の角度αは、カード挿抜方向に対する他方の案内アーム部の角度βより大きくても小さくてもよい。
【００５１】
図１ないし図３に示されるように、各コンタクト１００の２本の弾性アーム１１０，１２０は、同一長さかほぼ同一長さを有する。しかし、本発明は図示の実施形態に限定されない。各コンタクト１００の２本の弾性アーム１１０，１２０は異なる長さを有してもよい。
【００５２】
一実施形態において、図１ないし図３に示されるように、各弾性アーム１１０，１２０の固定アーム部１１，１２１は、基部１０の上面とほぼ平行になるよう構成される。各弾性アーム１１０，１２０の案内アーム部１１２，１２２は、基部１０の上面に対して０°より大きく90°より小さい角度を有するよう構成される。
【００５３】
典型的な一実施形態において、図１ないし図３に示されるように、基部１０の上面に対する各弾性アーム部１１０，１２０の案内アーム部１１２，１２２の角度は、30〜60°の範囲内に設定され、好適には35〜45°の範囲内に設定される。
【００５４】
典型的な一実施形態において、図１ないし図３に示されるように、各コンタクト１００の２本の弾性アーム１１０，１２０は、Ｖ形状又はＵ形状の支持部を構成する。そして、各コンタクト１００の接触部１３０は、Ｖ形状又はＵ形状の支持部の頂点として形成される。
【００５５】
典型的な一実施形態において、図１ないし図３に示されるように、各コンタクト１００は、少なくとも一方の弾性アーム１１０，１２０に連結された少なくとも１個の半田付け部１４０を具備する。そして、コンタクト１００は、半田付け部１４０により回路基板に半田付けされる。
【００５６】
図１ないし図３に示されるように、複数のコンタクト１００の接触部１３０は、カード挿抜方向に２列に配列される。
【００５７】
図４及び図５に示されるように、カードコネクタはシールドケース２０を具備する。シールドケース２０は電気カード３０を受容する収容空間を画定し、複数のコンタクト１００の接触部１３０は収容空間内に突出する。
【００５８】
図１ないし図３に示された実施形態において、各固定アーム部１１１，１２１は、基部１０から案内アーム部１１２，１２２に向かって徐々に傾斜する幅を有する。
【００５９】
典型的な一実施形態において、カードコネクタは、加入者識別モジュール（ＳＩＭ）カード又は他の適当なカードと嵌合するよう構成されてもよい。
【００６０】
図６は、本発明の別の典型的な実施形態に係るカードコネクタの斜視図である。ここで、カードコネクタのシールドケースが取り除かれている。図７は、図６に示されたカードコネクタのコンタクト１００’の拡大斜視図である。
【００６１】
図１ないし図３に示されたカードコネクタと比較すると、図６及び図７に示されたカードコネクタの唯一の差は、各コンタクト１００’の案内アーム部１１２’，１２２’の滑らかな突条凸面の形状が変更されている点である。この点を除き、図６及び図７に示されたカードコネクタの他の特徴は、図１ないし図３に示されたカードコネクタの他の特徴と殆ど同じである。簡潔にするために、それらの説明は省略する。
【００６２】
図６及び図７に示されるように、各コンタクト１００’の案内アーム部１１２’，１２２’の滑らかな突条凸面は、図１ないし図３に示された各コンタクト１００の案内アーム部１１２，１２２の滑らかな突条凸面より大きな曲面半径を有するように形成される。さらに、図６及び図７に示された各案内アーム部１１２’，１２２’の根本は、図１ないし図３に示された案内アーム部１１２よりも接触部１３０’に近い位置にある。
【００６３】
図８は、本発明のさらに別の典型的な実施形態に係るカードコネクタの斜視図である。ここで、カードコネクタのシールドケースが取り除かれている。図９は、図８に示されたカードコネクタのコンタクト１００”の拡大斜視図である。図１ないし図３並びに図６及び図７に示されたカードコネクタと比較すると、図８及び図９に示されたカードコネクタの唯一の差は、各コンタクト１００’の案内アーム部１１２”，１２２”の滑らかな突条凸面の形状が変更されている点である。この点を除き、図８及び図９に示されたカードコネクタの他の特徴は、図１ないし図３並びに図６及び図７に示されたカードコネクタの他の特徴と殆ど同じである。簡潔にするために、それらの説明は省略する。
【００６４】
図８及び図９に示されるように、各コンタクト１００”の案内アーム部１１２”，１２２”の滑らかな突条凸面は、図１ないし図３に示された各コンタクト１００の案内アーム部１１２，１２２の滑らかな突条凸面より小さな曲面半径を有するように形成される。さらに、各案内アーム部１１２”，１２２”の根本は、図６及び図７に示された案内アーム部１１２’よりも接触部１３０”に近い位置にある。
【００６５】
当業者であれば、上述の実施形態は例示を意図されており、限定を意図したものではないことを理解されたい。よ。例えば、当業者であれば上述の実施形態に多くの変形を加えることができ、異なる実施形態に記載された様々な特徴は構成又は原理において矛盾することなく、互いに自由に組み合わせることができる。
【００６６】
いくつかの典型的な実施形態を図示し説明したが、当業者であれば、本発明の原理及び真髄から逸脱することなく、実施形態に変形や変更を加えること、及び本発明の範囲は特許請求の範囲及びその等価物で定義されることが理解されよう。
【符号の説明】
【００６７】
１０      基部
３０      電気カード
１００    コンタクト
１１０    弾性アーム
１１１    固定アーム部
１１２    案内アーム部
１１２１  突条線
１１２２  フランジ領域
１２０    弾性アーム
１２１    固定アーム部
１２２    案内アーム部
１３０    接触部
１４０    半田付け部
Ｙ−Ｙ    カード挿抜方向
α        角度
β        角度
【図１】
2016071848.tif 000003
【図２】
2016071848.tif 000004
【図３】
2016071848.tif 000005
【図４】
2016071848.tif 000006
【図５】
2016071848.tif 000007
【図６】
2016071848.tif 000008
【図７】
2016071848.tif 000009
【図８】
2016071848.tif 000010
【図９】
2016071848.tif 000011